(57)【要約】【課題】電話機側または映像通信機器の一方の操作で、音声通話から映像によるコミュニケーションに切り替えることのできるホームゲートウェイおよび双方向映像通信機器を提供する。【解決手段】ホームゲートウェイは、電話機による音声通話中にこの電話機より特定の操作信号を受信したとき、映像コミュニケーション開始のためのコマンド、および接続相手の電話機と同一のホームネットワークに属する双方向映像通信機器を特定する機器特定情報を含むメッセージを自身のホームネットワークに属する双方向映像通信機器に送信する機能を有し、双方向映像通信機器は、ホームゲートウェイより受信したメッセージに基づいて、接続相手の電話機と同一のホームネットワークに属する双方向映像通信機器との間で映像を送受信するためのセッションを確立する。【選択図】図１
2006140973.tif 000002
【特許請求の範囲】
【請求項１】
ホームネットワーク内の電話機および双方向映像通信機器をインターネットと接続するインターネット接続手段と、
接続相手の電話機と同一のホームネットワークに属する前記双方向映像通信機器を特定する機器特定情報を管理する管理手段と、
前記電話機による音声通話中にこの電話機より特定の操作信号を受信したとき、映像コミュニケーション開始のためのコマンドおよび前記機器特定情報を含むメッセージを自身のホームネットワークに属する双方向映像通信機器に送信するメッセージ送信手段と
を具備することを特徴とするホームゲートウェイ。
【請求項２】
前記メッセージが、発呼側か着呼側かを識別する発呼／着呼識別情報をさらに含むことを特徴とする請求項１に記載のホームゲートウェイ。
【請求項３】
前記電話機による音声通話中に自ホームネットワークに属する前記双方向映像通信機器を特定する機器特定情報を、接続相手の前記電話機が属する他のホームネットワークのホームゲートウェイに送信する手段をさらに具備することを特徴とする請求項１または２に記載のホームゲートウェイ。
【請求項４】
ホームネットワーク内の電話機および双方向映像通信機器をインターネットと接続するインターネット接続手段と、
接続相手の電話機と同一のホームネットワークに属する前記双方向映像通信機器を特定する機器特定情報を管理する管理手段と、
前記電話機による音声通話中にこの電話機より特定の操作信号を受信したとき、映像コミュニケーション開始のためのコマンドおよび前記機器特定情報を含むメッセージを自身のホームネットワークに属する双方向映像通信機器に送信するメッセージ送信手段と
を有するホームゲートウェイと接続可能な双方向映像通信機器であって、
映像を入力する映像入力手段と、
前記ホームゲートウェイより受信した前記メッセージに基づいて、前記接続相手の電話機と同一のホームネットワークに属する前記双方向映像通信機器との間で前記映像入力手段により入力した映像信号を送受信するためのセッションを確立するセッション確立手段と
を具備することを特徴とする双方向映像通信機器。
【請求項５】
前記メッセージは、発呼側か着呼側かを識別する発呼／着呼識別情報をさらに含み、
前記セッション確立手段は、前記メッセージに含まれる前記発呼／着呼識別情報が発呼側である場合、前記メッセージに含まれる前記コマンドおよび前記機器特定情報に基づいて、前記接続相手の電話機と同一のホームネットワークに属する前記双方向映像通信機器に対して前記セッションの確立のためのリクエストを送信し、前記ホームゲートウェイより受信した前記メッセージに含まれる前記発呼／着呼識別情報が着呼側である場合、前記リクエストの受信に応じてセッションを確立することを特徴とする請求項４に記載の双方向映像通信機器。
【請求項６】
ホームネットワーク内の電話機および双方向映像通信機器をインターネットと接続するインターネット接続手段と、
接続相手の電話機と同一のホームネットワークに属する前記双方向映像通信機器を特定する機器特定情報を管理する管理手段と
を有するホームゲートウェイと接続可能な双方向映像通信機器であって、
映像を入力する映像入力手段と、
遠隔操作のためのリモートコントローラと、
前記電話機による音声通話中に前記リモートコントローラより特定の操作信号を受信したとき、映像コミュニケーション開始のためのコマンドおよび前記機器特定情報を含むメッセージを前記ホームゲートウェイより受信する手段と、
前記ホームゲートウェイより受信した前記メッセージに基づいて、前記接続相手の電話機と同一のホームネットワークに属する前記双方向映像通信機器との間で前記映像入力手段により入力した映像信号を送受信するためのセッションを確立するセッション確立手段と
を具備することを特徴とする双方向映像通信機器。
【請求項７】
前記メッセージは、発呼側か着呼側かを識別する発呼／着呼識別情報をさらに含み、
前記セッション確立手段は、前記メッセージに含まれる前記発呼／着呼識別情報が発呼側である場合、前記メッセージに含まれる前記コマンドおよび前記機器特定情報に基づいて、前記接続相手の電話機と同一のホームネットワークに属する前記双方向映像通信機器に対して前記セッションの確立のためのリクエストを送信し、前記ホームゲートウェイより受信した前記メッセージに含まれる前記発呼／着呼識別情報が着呼側である場合、前記リクエストの受信に応じてセッションを確立することを特徴とする請求項６に記載の双方向映像通信機器。
【請求項８】
ホームネットワーク内の電話機および双方向映像通信機器がホームゲートウェイを介してインターネットに接続され、異なる前記ホームネットワークの前記電話機間で音声通話を行い、異なる前記ホームネットワークの前記双方向映像通信機器の間で双方向の映像通信を行う双方向映像通信システムであって、
前記ホームゲートウェイは、
接続相手の電話機と同一のホームネットワークに属する前記双方向映像通信機器を特定する機器特定情報を管理する管理手段と、
前記電話機による音声通話中にこの電話機より特定の操作信号を受信したとき、映像コミュニケーション開始のためのコマンドおよび前記機器特定情報を含むメッセージを自身のホームネットワークに属する双方向映像通信機器に送信するメッセージ送信手段とを具備し、
前記双方向映像通信機器は、
映像を入力する映像入力手段と、
前記ホームゲートウェイより受信した前記メッセージに基づいて、前記接続相手の電話機と同一のホームネットワークに属する前記双方向映像通信機器との間で前記映像入力手段により入力した映像信号を送受信するためのセッションを確立するセッション確立手段と
を具備することを特徴とする双方向映像通信システム。
【請求項９】
ホームネットワーク内の電話機および双方向映像通信機器がホームゲートウェイを介してインターネットに接続され、異なる前記ホームネットワークの前記電話機間で音声通話を行い、異なる前記ホームネットワークの前記双方向映像通信機器の間で双方向の映像通信を行う双方向映像通信システムであって、
前記ホームゲートウェイは、
接続相手の電話機と同一のホームネットワークに属する前記双方向映像通信機器を特定する機器特定情報を管理する管理手段を具備し、
前記双方向映像通信機器は、
映像を入力する映像入力手段と、
遠隔操作のためのリモートコントローラと、
前記電話機による音声通話中に前記リモートコントローラより特定の操作信号を受信したとき、映像コミュニケーション開始のためのコマンドおよび前記機器特定情報を含むメッセージを前記ホームゲートウェイより受信する手段と、
前記ホームゲートウェイより受信した前記メッセージに基づいて、前記接続相手の電話機と同一のホームネットワークに属する前記双方向映像通信機器との間で前記映像入力手段により入力した映像信号を送受信するためのセッションを確立するセッション確立手段と
を具備することを特徴とする双方向映像通信システム。
【発明の詳細な説明】
【技術分野】
【０００１】
本発明は、電話機や双方向映像通信機器などが接続されたホームネットワークをインターネットと接続して、外部のホームネットワークの電話機や双方向映像通信機器との音声通話や映像コミュニケーションを実現するホームゲートウェイ、双方向映像通信機器、および双方向映像通信システムに関する。
【背景技術】
【０００２】
電話回線とＩＰ（Internet Protocol）網を統合するＶｏＩＰ（Voice over IP）で用いられるプロトコルとしてＳＩＰ(Session Initiation Protocol）がある。このＳＩＰでは、ＩＰ電話機などのクライアント端末間のセッションの開始／変更／終了などのセッション制御に関する通信手順が規定されている。また、ＳＩＰは、音声のみならず、テキスト、画像（ビデオ）などの様々なメディア情報のやりとりをサポートしている。
【０００３】
ＳＩＰでマルチメディア情報をやりとりする具体的な実装例としては次のようなものがある。ＳＩＰで情報をやりとりする機能を有する端末（以下「ＳＩＰ端末」と記述）と、たとえばＩＰｖ６による動画通信機能を搭載したＨＤＤレコーダなどの双方向映像通信機器とを接続し、さらにこの双方向映像通信機器にデジタルカメラを接続する。デジタルカメラで撮像した映像は、双方向映像通信機器のＩＰｖ６による動画通信機能により、ＳＩＰ端末によってセッション接続先の相手に対して送信される（非特許文献１）。
【非特許文献１】http://internet.watch.impress.co.jp/cda/event/2004/02/17/2121.html
【発明の開示】
【発明が解決しようとする課題】
【０００４】
しかしながら、上記の技術では、ＳＩＰ端末と双方向映像通信機器との間で制御コマンドなどをやりとりする機能を備えていないため、たとえば、ＳＩＰ端末であるＩＰ電話機による音声通話から映像のやりとりに切り替える場合には、ＩＰ電話機と双方向映像通信機器のそれぞれにおいて、切り替えのための操作を独立して行わなければならないという問題があった。
【０００５】
本発明は以上のような事情に鑑み、電話機あるいは双方向映像通信機器のいずれか一方の操作で、音声通話から映像によるコミュニケーションに切り替えることのできるホームゲートウェイ、双方向映像通信機器、および双方向映像通信システムを提供することを目的としている。
【課題を解決するための手段】
【０００６】
上記目的を達成するため、本発明のホームゲートウェイは、ホームネットワーク内の電話機および双方向映像通信機器をインターネットと接続するインターネット接続手段と、接続相手の電話機と同一のホームネットワークに属する双方向映像通信機器を特定する機器特定情報を管理する管理手段と、電話機による音声通話中にこの電話機より特定の操作信号を受信したとき、映像コミュニケーション開始のためのコマンドおよび前記機器特定情報を含むメッセージを自身のホームネットワークに属する双方向映像通信機器に送信するメッセージ送信手段とを具備する。
【０００７】
一方、本発明の双方向映像通信機器は、ホームネットワーク内の電話機および双方向映像通信機器をインターネットと接続するインターネット接続手段と、接続相手の電話機と同一のホームネットワークに属する双方向映像通信機器を特定する機器特定情報を管理する管理手段と、電話機による音声通話中にこの電話機より特定の操作信号を受信したとき、映像コミュニケーション開始のためのコマンドおよび機器特定情報を含むメッセージを自身のホームネットワークに属する双方向映像通信機器に送信するメッセージ送信手段とを有するホームゲートウェイと接続可能な双方向映像通信機器であって、映像を入力する映像入力手段と、ホームゲートウェイより受信したメッセージに基づいて、接続相手の電話機と同一のホームネットワークに属する双方向映像通信機器との間で映像入力手段により入力した映像信号を送受信するためのセッションを確立するセッション確立手段とを具備する。
【０００８】
また、別の発明の双方向映像通信機器は、ホームネットワーク内の電話機および双方向映像通信機器をインターネットと接続するインターネット接続手段と、接続相手の電話機と同一のホームネットワークに属する双方向映像通信機器を特定する機器特定情報を管理する管理手段とを有するホームゲートウェイと接続可能な双方向映像通信機器であって、映像を入力する映像入力手段と、遠隔操作のためのリモートコントローラと、電話機による音声通話中にリモートコントローラより特定の操作信号を受信したとき、映像コミュニケーション開始のためのコマンドおよび機器特定情報を含むメッセージをホームゲートウェイより受信する手段と、ホームゲートウェイより受信したメッセージに基づいて、接続相手の電話機と同一のホームネットワークに属する双方向映像通信機器との間で映像入力手段により入力した映像信号を送受信するためのセッションを確立するセッション確立手段とを具備する。
【発明の効果】
【０００９】
以上のように、本発明によれば、電話機あるいは双方向映像通信機器のいずれか一方の操作で、音声通話から映像によるコミュニケーションに切り替えることが可能となる。
【発明を実施するための最良の形態】
【００１０】
以下、本発明の実施の形態を図面に基づいて説明する。
【００１１】
図１は本発明の第１の実施形態にかかる双方向映像通信システムの全体構成を示すブロック図である。
【００１２】
この双方向映像通信システム１００は、複数のホームネットワーク１０，１０’、インターネット２０および管理サーバ３０からなる。ホームネットワーク１０，１０’は、電話機１１，１１’、双方向映像通信機器である双方向映像通信ＴＶ（テレビジョン）１２，１２’、ビデオカメラ１３，１３’およびホームゲートウェイ１４，１４’で構成される。
【００１３】
各々のホームネットワーク１０，１０’において、電話機１１，１１’は固定電話機であり、この電話機１１，１１’は電話ケーブル１５，１５’を通じてホームゲートウェイ１４，１４’と接続されている。双方向映像通信ＴＶ１２，１２’は、ＳＩＰ対応の映像通信機能およびテレビジョン機能を有する機器である。双方向映像通信ＴＶ１２，１２’はアナログ端子を有し、このアナログ端子にはＡＶケーブル１７，１７’を通じてビデオカメラ１３，１３’が接続されている。また、この双方向映像通信ＴＶ１２，１２’は有線または無線によるＬＡＮ１６，１６’によってホームゲートウェイ１４，１４’と接続されている。ホームゲートウェイ１４，１４’は、ホームネットワーク１０，１０’内の電話機１１，１１’および双方向映像通信ＴＶ１２，１２’からインターネット２０への接続を可能とするブロードバンドルータの機能、電話機１１，１１’からの音声信号をＩＰパケットにしてインターネット２０経由で送受信するＶｏＩＰ（ Voice over IP）アダプタの機能（ＳＩＰ端末の機能）、および双方向映像通信ＴＶ１２の端末情報を管理する機能（ＳＩＰサーバの機能）を有する。
【００１４】
管理サーバ３０は、電話機１１，１１’の電話番号とホームゲートウェイ１４，１４’のＩＰアドレスをそれぞれ関連付けて管理する機能（ＳＩＰサーバの機能）を有する。
【００１５】
図２は双方向映像通信ＴＶ１２の機能の構成を示すブロック図である。
同図に示すように、双方向映像通信ＴＶ１２は、コマンド送受信部１２１、コマンド解析部１２２、映像送受信部１２３、映像入力部１２４、映像出力部１２５および電源管理部１２６を備えている。
【００１６】
コマンド送受信部１２１は、ホームゲートウェイ１４や双方向映像通信ＴＶ１２からのＳＩＰコマンドを受信し、コマンド解析部１２２へイベントを通知する機能、および受信したＳＩＰコマンドをホームゲートウェイ１４または双方向映像通信ＴＶ１２へ送信する機能を有する。
【００１７】
コマンド解析部１２２は、コマンド送受信部１２１からのイベントを受信したときホームゲートウェイ１４や双方向映像通信ＴＶ１２から受信したＳＩＰコマンドを解析し、解析内容に応じてコマンド送受信部１２１または映像送受信部１２３へ指示を与える機能を有する。
【００１８】
映像送受信部１２３は、コマンド解析部１２２からの指示に従い、映像入力部１２４からの映像信号を通信相手の双方向映像通信ＴＶ１２’へ送信する機能、および通信相手の双方向映像通信ＴＶ１２’から受信した映像信号を映像出力部１２５へ転送する機能を有する。
【００１９】
映像入力部１２４は、ビデオカメラ１３から入力したアナログ信号をデジタル信号へ変換した後、エンコードを行い、映像送受信部１２３へ転送する機能を有する。ビデオカメラ１３がマイク機能を有している場合、エンコード時に映像信号と音声信号を多重化する。エンコード形式はたとえばＭＰＥＧ２などであり、エンコード形式は、あらかじめ決めていてもよいし、映像コミュニケーションのセッション確立時に、双方向映像通信ＴＶ１２’とのネゴシエーションによって決めてもよい。
【００２０】
映像出力部１２５は、映像送受信部１２３から転送されたデジタル信号をデコードし、双方向映像通信ＴＶ１２の画面へ表示する機能、および映像入力部１２４のアナログ信号を画面へ表示する機能を有する。映像送受信部１２３から転送されたデジタル信号に音声が含まれている場合、スピーカ等へ音声を出力する機能も有する。
【００２１】
電源管理部１２６は、双方向映像通信ＴＶ１２の電源を管理し、電源をオンにしたりスタンバイ状態にしたりする機能を有する。電源がオンになっている状態とは、コマンド送受信部１２１、コマンド解析部１２２、映像送受信部１２３、映像入力部１２４、映像出力部１２５、電源管理部１２６のすべてがアクティブになっている状態、スタンバイ状態とは、コマンド送受信部１２１、コマンド解析部１２２、電源管理部１２６がアクティブで、映像送受信部１２３、映像入力部１２４、映像出力部１２５が非アクティブになっている状態を意味する。
【００２２】
また、図示は省略したが、他のホームネットワーク１０’の双方向映像通信ＴＶ１２’も、双方向映像通信ＴＶ１２と同様に、コマンド送受信部１２１’、コマンド解析部１２２’、映像送受信部１２３’、映像入力部１２４’、映像出力部１２５’および電源管理部１２６’を備えている。
【００２３】
次に、この第１の実施形態の双方向映像通信システム１００の動作を説明する。
映像コミュニケーションを利用可能にするために、あらかじめ、各々のホームネットワーク１０，１０’の双方向映像通信ＴＶ１２，１２’は、ＳＩＰのＲＥＧＩＳＴＥＲリクエストを使って、ホームゲートウェイ１４，１４’に対して、ＳＩＰ−ＵＲＩ（Uniform Resource Identifier)とＩＰアドレスを端末情報として送信する。ホームゲートウェイ１４，１４’はＲＥＧＩＳＴＥＲリクエストを受信すると、双方向映像通信ＴＶ１２，１２’のＳＩＰ−ＵＲＩとＩＰアドレスとを関連づけて保存する。ＳＩＰ−ＵＲＩは、例えば”SIP:userB@isp.com”のような形式である。ＳＩＰ−ＵＲＩの代わりに”tel:050-xxxx-yyyy”のような電話番号形式でもよい。双方向映像通信ＴＶ１２，１２’がホームゲートウェイ１４，１４’に対しＲＥＧＩＳＴＥＲリクエストを送信するタイミングは、双方向映像通信ＴＶ１２，１２’の電源をオンにした際、または一定時間間隔などである。
【００２４】
音声通話を開始するため、まず、ホームネットワーク１０のユーザＡは、電話機１１の操作部を使って、他のホームネットワーク１０’のユーザＢが所有する電話機１１’の電話番号を入力する。この操作により電話機１１は、ホームゲートウェイ１４を介してＩＰ電話の手順によりユーザＢの電話機１１’を呼び出す。すなわち、ホームゲートウェイ１４は、電話機１１より接続相手の電話機１１’の電話番号を取得し、インターネット２０上の管理サーバ３０に対して、当該電話番号に対応するホームゲートウェイ１４’のＩＰアドレスを問い合わせ、取得したＩＰアドレスに基づきホームゲートウェイ１４’にＩＰ電話の接続を要求する。ホームゲートウェイ１４’はＩＰ電話の接続要求を受けると、電話機１１’の呼び出しを行う。
【００２５】
電話機１１’の呼び出しに対して、ユーザＢが電話機１１’の受話器を上げると、ユーザＡとユーザＢの音声通話が開始される。音声通話が開始されると、ホームゲートウェイ１４は発呼フラグをオンにする。
【００２６】
次に、音声通話から映像コミュニケーションへの移行手順について記述する。
図３はホームゲートウェイ１４，１４’における映像コミュニケーション開始の手順を示すフローチャートである。
【００２７】
音声通話中に両ユーザＡ，Ｂ間で映像コミュニケーション開始の同意がとれたとすると、ユーザＡおよびユーザＢはそれぞれの電話機１１，１１’の操作部において、映像コミュニケーションの開始を指示するためのトーン信号の送信にあらかじめ割り当てられている特定のボタン（たとえば“＃”など）をプッシュする。
【００２８】
発呼側のユーザＡの電話機１１は、特定のボタンが操作されると、映像コミュニケーションの開始を指定するトーン信号をホームゲートウェイ１４に対して送信する。ホームゲートウェイ１４は、電話機１１からの当該トーン信号を受信すると（ステップ３０１）、これを以下に示すＳＩＰのＭＥＳＳＡＧＥリクエストに変換し、双方向映像通信ＴＶ１２へ送信する（ステップ３０７）。
【００２９】
トーン信号から生成されるＭＥＳＳＡＧＥリクエストのメッセージ部は、図４に示すように、コマンド名、パート名、そして接続相手の電話機１１’と同一のホームネットワーク１０’に属する双方向映像通信ＴＶ１２’を特定する機器特定情報であるＩＰアドレスおよびＳＩＰ−ＵＲＩなどから構成される。ホームゲートウェイ１４は、これらコマンド名、パート名、ＩＰアドレスおよびＳＩＰ−ＵＲＩを次のように指定する。
【００３０】
コマンド名は映像コミュニケーション開始または終了などのコマンドを表す文字列である。音声通話から映像コミュニケーションへ移行する際には、コマンド名として開始を表す文字列”ｓｔａｒｔ”が指定される（ステップ３０２）。パート名は音声通話における発呼側または着呼側を表す文字列である。ホームゲートウェイ１４の発呼フラグは現在オンになっているので（ステップ３０３のオン）、ホームゲートウェイ１４は、パート名として発呼側を表す文字列”ｃａｌｌｅｒ”を指定する（ステップ３０４）。ＩＰアドレスは接続相手の双方向映像通信ＴＶ１２’のＩＰアドレスであり、インターネット２０のインターネットプロトコルがＩＰｖ６（Internet Protocol Version 6 ）なら接続相手の双方向映像通信ＴＶ１２’のグローバルＩＰアドレスを指定し、ＩＰｖ４（Internet Protocol Version 4 ）なら接続相手のホームゲートウェイ１４’のグローバルＩＰアドレスを指定する（ステップ３０５）。そして接続相手の双方向映像通信ＴＶ１２’のＳＩＰ−ＵＲＩを指定する（ステップ３０６）。
【００３１】
双方向映像通信ＴＶ１２’のＩＰアドレスおよびＳＩＰ−ＵＲＩは、音声通話中にホームゲートウェイ１４’がホームゲートウェイ１４に対し、ＳＩＰのＭＥＳＳＡＧＥリクエストなどを使ってあらかじめホームゲートウェイ１４に送信しておく。
【００３２】
なお、メッセージ部の形式は、ＸＭＬ（eXtensible Markup Language）形式でもよいし、その他の独自の形式でもよい。
【００３３】
また、本実施形態では、ホームゲートウェイ１４が双方向映像通信ＴＶ１２へ送信するＳＩＰコマンドとしてＭＥＳＳＡＧＥリクエストを用いたが、ＳＩＰがサポートしているメソッドであれば他のリクエストでもよい。
【００３４】
図５は双方向映像通信ＴＶ１２，１２’の映像コミュニケーション開始／終了の手順を示すフローチャートである。
【００３５】
発呼側の双方向映像通信ＴＶ１２のコマンド送受信部１２１は、ホームゲートウェイ１４からＭＥＳＳＡＧＥリクエストを受信すると（ステップ５０１）、このＭＥＳＳＡＧＥリクエストの送信元ＩＰアドレスがホームゲートウェイ１４のものと一致するかどうかを確認し（ステップ５０２）、一致する場合、受信したＭＥＳＳＡＧＥリクエスト中のメッセージ部をコマンド解析部１２２へ転送する。一致しなければ、不正アクセスとみなして処理を終了する。
【００３６】
コマンド解析部１２２は、コマンド送受信部１２１から転送されたメッセージ部から、まずコマンド名をとりだす。ここではコマンド名が映像コミュニケーションの開始を表す文字列であるので（ステップ５０３の開始）、ステップ５０４へ移行し、パート名をとりだす（ステップ５０４）。パート名は発呼側を表す文字列であるので、ホームゲートウェイ１４にてあらかじめ登録しておいた接続相手の双方向映像通信ＴＶ１２’のＩＰアドレスとＳＩＰ−ＵＲＩとをとりだし（ステップ５０５）、映像データの送受信プロトコルやコーデックなど映像コミュニケーションに必要な情報と合わせて、ＳＩＰのＩＮＶＩＴＥリクエストを作成し、双方向映像通信ＴＶ１２’のグローバルＩＰアドレスと共にコマンド送受信部１２１へ転送する。
【００３７】
コマンド送受信部１２１は、コマンド解析部１２２から転送されたＩＰアドレスに対して、コマンド解析部１２２から転送されたＩＮＶＩＴＥリクエストを送信し（ステップ５０６）、双方向映像通信ＴＶ１２，１２’間でのセッションの確立を行う（ステップ５０７）。ここで、セッションの確立手順はＳＩＰに従う。
【００３８】
なお、コマンド解析部１２２から転送されたＩＰアドレスは、インターネット２０のネットワークがＩＰｖ６なら双方向映像通信ＴＶ１２’自身のグローバルＩＰアドレスであり、ＩＰｖ４ならホームゲートウェイ１４’のグローバルＩＰアドレスである。ＩＰｖ６の場合、着呼側の双方向映像通信ＴＶ１２’は発呼側の双方向映像通信ＴＶ１２からのＩＮＶＩＴＥリクエストを直接受信することができるが、ＩＰｖ４の場合、着呼側のホームゲートウェイ１４’が発呼側の双方向映像通信ＴＶ１２からのＩＮＶＩＴＥリクエストを受信すると、ＮＡＴ（Network Address Translator）により着呼側の双方向映像通信ＴＶ１２’へＩＮＶＩＴＥリクエストを転送し、着呼側の双方向映像通信ＴＶ１２’がＩＮＶＩＴＥリクエストを受信する。
【００３９】
一方、着呼側のユーザＢの電話機１１’は、電話機１１’の特定のボタンが操作されると、映像コミュニケーションの開始を指定するトーン信号をホームゲートウェイ１４’に対して送信する。ホームゲートウェイ１４’は電話機１１’よりトーン信号を受信すると（図３のステップ３０１）、以下に示すＳＩＰのＭＥＳＳＡＧＥリクエストを作成して双方向映像通信ＴＶ１２’へ送信する（ステップ３０７）。
【００４０】
図６は、このＭＥＳＳＡＧＥリクエストのメッセージ部を示している。同図に示すように、このメッセージ部はコマンド名とパート名とで構成される。ここで、コマンド名には開始を表す文字列”ｓｔａｒｔ”が指定され（図３のステップ３０２）、パート名としては、ホームゲートウェイ１４’における発呼フラグがオフなので着呼側を表す文字列”ｃａｌｌｅｅ”が指定される（ステップ３０８）。ＩＰアドレス、ＳＩＰ−ＵＲＩはここでは指定されない。
【００４１】
コマンド送受信部１２１’はホームゲートウェイ１４’からＭＥＳＳＡＧＥリクエストを受信すると（図５のステップ５０１）、このＭＥＳＳＡＧＥリクエスト中のメッセージ部をコマンド解析部１２２’へ転送する。
【００４２】
コマンド解析部１２２’はコマンド送受信部１２１’から転送されたＭＥＳＳＡＧＥリクエスト中のメッセージ部からコマンド名をとりだす（ステップ５０３）。コマンド名が映像コミュニケーション開始を表す文字列であるので、次にパート名をとりだす（ステップ５０４）。ここでパート名は着呼側を表す文字列であるので、発呼側の双方向映像通信ＴＶ１２からのＩＮＶＩＴＥリクエストの受信を待ち、発呼側の双方向映像通信ＴＶ１２との間でのセッションの確立を行う（ステップ５０７）。
【００４３】
図７は着呼側の双方向映像通信ＴＶ１２’のセッション確立判定の手順を示すフローチャートである。
【００４４】
着呼側の双方向映像通信ＴＶ１２’は、ＩＮＶＩＴＥリクエストを受信した時点で（ステップ７０１）、ホームゲートウェイ１４’からのＭＥＳＳＡＧＥリクエストを既に受信済みであるならば（ステップ７０２のＹＥＳ）、双方向映像通信ＴＶ１２との間でのセッションの確立を行う（ステップ７０３）。また、ホームゲートウェイ１４’からのＭＥＳＳＡＧＥリクエストを受信する前に発呼側の双方向映像通信ＴＶ１２からＩＮＶＩＴＥリクエストを受信した場合は（ステップ７０２のＮＯ）、セッションの確立を拒否する（ステップ７０４）。
【００４５】
両双方向映像通信ＴＶ１２，１２’間でセッションが確立されると、発呼側の双方向映像通信ＴＶ１２のコマンド解析部１２２は電源管理部１２６に対し、電源オンのリクエストを送信する。電源管理部１２６は、電源オンのリクエストを受信すると、双方向映像通信ＴＶ１２の電源状態をチェックし（図５のステップ５０８）、電源状態がスタンバイ状態であれば、映像送受信部１２３、映像入力部１２４、映像出力部１２５をアクティブにし、双方向映像通信ＴＶ１２の状態をスタンバイ状態から電源オンの状態へ移行させる（ステップ５０９）。双方向映像通信ＴＶ１２が電源オンの状態であれば、電源管理部１２６は何も処理しない。
【００４６】
コマンド解析部１２２は、セッション確立時に取得した映像送受信についての情報を映像送受信部１２３へ転送する。映像送受信についての情報とは、送受信プロトコル、コーデック、ＩＰアドレスおよびポート番号、双方向映像通信ＴＶ１２の受信ポート番号である。送受信プロトコルは、例えばＲＴＰ（Real-time Transport Protocol）などであり、あらかじめ決めていてもよいし、映像コミュニケーションのセッション確立時に、着呼側の双方向映像通信ＴＶ１２’とのネゴシエーションによって決めてもよい。ＩＰアドレスは、インターネット２０のネットワークプロトコルがＩＰｖ６なら双方向映像通信ＴＶ１２’自身のグローバルＩＰアドレスであり、ＩＰｖ４ならホームゲートウェイ１４’のグローバルＩＰアドレスである。ＩＰｖ６の場合、着呼側の双方向映像通信ＴＶ１２’は発呼側の双方向映像通信ＴＶ１２からのデータを直接受信することができるが、ＩＰｖ４の場合、ホームゲートウェイ１４’が発呼側の双方向映像通信ＴＶ１２からのデータを受信すると、ＮＡＴ（Network Address Translator）により着呼側の双方向映像通信ＴＶ１２’へデータを転送し、着呼側の双方向映像通信ＴＶ１２’がデータを受信する。
【００４７】
映像送受信部１２３は、映像入力部１２４および映像出力部１２５に対しコーデックの形式を送信する。映像入力部１２４は、ビデオカメラ１３によって撮影された映像のアナログ信号を入力し（ステップ５１０）、デジタル信号に変換後、映像送受信部１２３が指定したコーデック形式に従ってエンコードし（ステップ５１１）、映像送受信部１２３へ転送する（ステップ５１２）。ビデオカメラ１３がマイク機能を有する場合は、音声に対しても映像と同様の処理が行われる。
【００４８】
映像送受信部１２３は、映像入力部１２４から転送された映像のデジタル信号を、コマンド解析部１２２により指定された送受信プロトコルに従い、コマンド解析部１２２により指定されたＩＰアドレス、ポート番号へ送信する（ステップ５１３）。一方、映像送受信部１２３は、コマンド解析部１２２により指定された受信ポートをオープンし、コマンド解析部１２２により指定された送受信プロトコルに従い、映像のデジタル信号を受信する。
【００４９】
映像送受信部１２３は、映像データを受信すると（ステップ５１４）、まず送信元ＩＰアドレスを確認する。送信元ＩＰアドレスがコマンド解析部１２２により指定されたＩＰアドレスと一致しなければ不正なデータとして廃棄する。送信元ＩＰアドレスがコマンド解析部１２２により指定されたＩＰアドレスと一致すれば、受信した映像データを映像出力部１２５に転送する。映像出力部１２５は、映像送受信部１２３から転送されたデータをデジタル信号から、コマンド解析部１２２により指定されたコーデックに従ってデコードし（ステップ５１５）、画面に映像を表示する（ステップ５１６）。また、映像出力部１２５は、映像入力部１２４がビデオカメラ１３により撮影された映像のアナログ信号を受信し、画面に表示する。画面の表示方式は、双方向映像通信ＴＶ１２’から受信した映像とビデオカメラ１３により撮影された映像のいずれか一方を表示してもよいし、ＰｉｎＰ（Picture in Picture）方式により両映像を表示してもよい。さらに、双方向映像通信ＴＶ１２に付属するリモコンを操作することで、映像の表示方式を切り替えてもよい。受信したデータに音声が含まれている場合は、映像と同様の処理を行い、双方向映像通信ＴＶ１２が備えるスピーカなどに出力する。
【００５０】
着呼側の双方向映像通信ＴＶ１２’でも同様の処理を行うことにより、各ユーザＡ，Ｂ間での映像によるコミュニケーションが可能になる。
【００５１】
次に、映像コミュニケーションを終了し、音声のみの通話へ移行する手順について記述する。  
音声通話により、両ユーザＡ，Ｂ間で映像コミュニケーション終了の同意が取れたとすると、ユーザＡ、ユーザＢのいずれか一方が電話機１１または１１’の特定のボタン（たとえば“０”など）をプッシュする。
【００５２】
次に、ユーザＡが電話機１１のボタンをプッシュした場合の処理について記述する。  
発呼側のユーザＡの電話機１１は、特定のボタンが操作されると、映像コミュニケーションの終了を指定するトーン信号をホームゲートウェイ１４に対して送信する。ホームゲートウェイ１４は、電話機１１からのトーン信号を受信すると（図３のステップ３０１）、これを以下に示すＳＩＰのＭＥＳＳＡＧＥリクエストに変換し、双方向映像通信ＴＶ１２へ送信する（ステップ３０７）。ここで、作成されるＭＥＳＳＡＧＥリクエストのメッセージ部には、図８に示すように、コマンド名として、映像コミュニケーション終了を表す文字列”ｅｎｄ”が含まれている。
【００５３】
コマンド送受信部１２１はホームゲートウェイ１４からＭＥＳＳＡＧＥリクエストを受信すると（図５のステップ５０１）、このＭＥＳＳＡＧＥリクエスト中のメッセージ部をコマンド解析部１２２へ転送する。
【００５４】
コマンド解析部１２２は、コマンド送受信部１２１から転送されたＳＩＰコマンドのメッセージ部からコマンド名をとりだす（ステップ５０３）。コマンド名が映像コミュニケーション終了を表す文字列であるので、ＳＩＰのＢＹＥリクエストを作成し、映像コミュニケーション開始時にコマンド解析部１２２が取得したＩＰアドレスと共にコマンド送受信部１２１へ転送する。
【００５５】
コマンド送受信部１２１は、コマンド解析部１２２から転送されたＢＹＥリクエストをコマンド解析部１２２が指定したＩＰアドレスに対して送信し、着呼側の双方向映像通信ＴＶ１２’とのセッションの切断を行う（ステップ５１７）。ここで、セッションの切断手順はＳＩＰに従う。
【００５６】
セッションの切断を完了すると、コマンド解析部１２２は映像送受信部１２３に対し、映像送受信停止リクエストを送信する。映像送受信部１２３は、映像送受信停止リクエストを受信すると、映像のデジタル信号の送信を停止し（ステップ５１８）、受信ポートをクローズする。映像送受信部１２３は、さらに、映像入力部１２４に対して映像入力停止リクエスト、映像出力部１２５に対して映像出力停止リクエストをそれぞれ送信する。映像入力部１２４は、映像入力停止リクエストを受信すると、ビデオカメラ１３で撮影した映像のアナログ信号のデジタル信号への変換およびエンコードを停止する。映像出力部１２５は、映像出力停止リクエストを受信すると、デジタル信号のデコードを停止する。ビデオカメラ１３がマイク機能を有する場合は、音声についても映像と同様の処理を行う。
【００５７】
発呼側の双方向映像通信ＴＶ１２とのセッションの切断を完了すると、着呼側の双方向映像通信ＴＶ１２’も同様の手順で映像送受信処理を停止する。
【００５８】
この実施形態によれば、ホームゲートウェイ１４，１４’と双方向映像通信ＴＶ１２，１２’との間のＳＩＰメッセージ送受信により、電話機１１，１１’の特定ボタンをプッシュするだけで、異なるホームネットワーク１０，１０’の電話機１１，１１’間での音声通話から双方向による映像コミュニケーションへの移行、および双方向による映像コミュニケーションから音声通話への移行が可能になった。
【００５９】
また、電源管理部１２６の機能によって、電話機１１，１１’の特定ボタンをプッシュすることで、双方向映像通信ＴＶ１２，１２’の電源の状態をスタンバイ状態からオン状態に切り替えることが可能となり、音声通話から双方向による映像コミュニケーションへの移行する際に双方向映像通信ＴＶ１２，１２’の電源を別途マニュアル操作でオンにする必要がなくなった。
【００６０】
なお、本実施形態では、電話機１１，１１’を固定電話機１１としているが、電話機１１，１１’をＩＰ電話機とし、ホームゲートウェイ１４，１４’と有線ＬＡＮまたは無線ＬＡＮで接続する形態でもよい。この場合、ＶｏＩＰの機能（ＳＩＰ端末の機能）は電話機１１，１１’が有する。
【００６１】
次に、本発明の他の実施形態を説明する。  
図９は本発明の第２の実施形態にかかる双方向映像通信システムの全体構成を示すブロック図である。
【００６２】
この双方向映像通信システム２００は、第１の実施形態と同様に、複数のホームネットワーク１０，１０’、インターネット２０および管理サーバ３０からなる。ホームネットワーク１０，１０’は、電話機１１，１１’、双方向映像通信機器である双方向映像通信ＴＶ（テレビジョン）１２，１２’、ビデオカメラ１３，１３’、ホームゲートウェイ１４，１４’およびリモコン１８，１８’で構成される。すなわち、この双方向映像通信システム２００において、リモコン１８，１８’を除く構成は第１の実施形態と同じである。
【００６３】
図１０は双方向映像通信ＴＶ１２，１２’の機能の構成を示すブロック図である。  
同図に示すように、ホームネットワーク１０の双方向映像通信ＴＶ１２は、コマンド送受信部１２１、コマンド解析部１２２、映像送受信部１２３、映像入力部１２４、映像出力部１２５およびリモコン信号受信部１２７を備えている。リモコン信号受信部１２７は、リモコン１８からの無線信号を受信し、リモコン信号データをコマンド解析部１２２へ転送する機能を有する。コマンド送受信部１２１、コマンド解析部１２２、映像送受信部１２３、映像入力部１２４、映像出力部１２５の機能は第１の実施形態と同じである。
【００６４】
また、図示は省略したが、他のホームネットワーク１０’の双方向映像通信ＴＶ１２’も、双方向映像通信ＴＶ１２と同様に、コマンド送受信部１２１’、コマンド解析部１２２’、映像送受信部１２３’、映像入力部１２４’、映像出力部１２５’およびリモコン信号受信部１２７’を備えている。
【００６５】
次に、この第２の実施形態の双方向映像通信システム２００の動作を説明する。  
図１１は双方向映像通信ＴＶ１２，１２’における映像コミュニケーション開始の手順を示すフローチャート、図１２はホームゲートウェイ１４，１４’における映像コミュニケーション開始の手順を示すフローチャートである。
【００６６】
映像コミュニケーションを利用可能にするため、第１の実施形態と同様の手順で、双方向映像通信ＴＶ１２はホームゲートウェイ１４に対し、ＳＩＰ−ＵＲＩ（Uniform Resource Identifier）とＩＰアドレスを端末情報として送信しておく。両ユーザＡ，Ｂ間での音声通話は、第１の実施形態と同様の手順で開始される。
【００６７】
次に、音声通話から映像コミュニケーションへの移行手順について記述する。  
音声通話中に両ユーザＡ，Ｂ間で映像コミュニケーション開始の同意が取れたとすると、ユーザＡおよびユーザＢはそれぞれのリモコン１８，１８’の特定のボタンをプッシュする。
【００６８】
双方向映像通信ＴＶ１２のリモコン信号受信部１２７は、リモコン１８からの信号を受信すると（図１１：ステップ１１０１）、信号データをコマンド解析部１２２へ転送する。コマンド解析部１２２はリモコン信号受信部１２７から転送された信号データを読み取り、この信号データが映像コミュニケーション開始を意味するものであれば（ステップ１１０２の開始）、この接続先情報取得リクエストを以下に示すＳＩＰのＭＥＳＳＡＧＥリクエストに変換し、コマンド送受信部１２１へ転送する。コマンド送受信部１２１はコマンド解析部１２２から転送された接続先情報取得リクエストを受信すると、ホームゲートウェイ１４へ送信する（ステップ１１０３）。
【００６９】
この接続先情報取得リクエスト（ＭＥＳＳＡＧＥリクエストのメッセージ部）は、図１３に示すように、コマンド名から構成される。コマンド名は映像コミュニケーション開始または終了などのコマンドを表す文字列である。音声通話から映像コミュニケーションへ移行する際には、コマンド名として開始を表す文字列”ｓｔａｒｔ”が指定される。ＭＥＳＳＡＧＥリクエストの送信先であるホームゲートウェイ１４のＩＰアドレスは、あらかじめ双方向映像通信ＴＶ１２上でユーザが設定してもよいし、自動的に検出してもよい。
【００７０】
ホームゲートウェイ１４は、発呼側の双方向映像通信ＴＶ１２から接続先情報取得リクエストを受信すると（図１２：ステップ１２０１）、次のような接続先情報をＳＩＰのＭＥＳＳＡＧＥリクエストの形式で作成して双方向映像通信ＴＶ１２へ応答する（ステップ１２０７）。
【００７１】
図１４は、ホームゲートウェイ１４から発呼側の双方向映像通信ＴＶ１２に送信される接続先情報（ＭＥＳＳＡＧＥリクエストのメッセージ部）の構成を示している。同図に示すように、ホームゲートウェイ１４から発呼側の双方向映像通信ＴＶ１２に送信される接続先情報は、コマンド名、パート名、ＩＰアドレスおよびＳＩＰ−ＵＲＩから構成される。
【００７２】
この接続先情報において、コマンド名は映像コミュニケーション開始または終了などのコマンドを表す文字列である。音声通話から映像コミュニケーションへ移行する際には、コマンド名として開始を表す文字列”ｓｔａｒｔ”が指定される（ステップ１２０２）。パート名は音声通話における発呼側または着呼側を表す文字列である。ホームゲートウェイ１４の発呼フラグは現在オンになっているので（ステップ１２０３のオン）、ここではパート名として発呼側を表す文字列”ｃａｌｌｅｒ”が指定される（ステップ１２０４）。接続相手の双方向映像通信ＴＶ１２’のＩＰアドレスには、インターネット２０のインターネットプロトコルがＩＰｖ６なら接続相手の双方向映像通信ＴＶ１２’のグローバルＩＰアドレスが、ＩＰｖ４なら接続相手のホームゲートウェイ１４’のグローバルＩＰアドレスが指定される（ステップ１２０５）。そして接続相手の双方向映像通信ＴＶ１２’のＳＩＰ−ＵＲＩが指定される（ステップ１２０６）。双方向映像通信ＴＶ１２’のＩＰアドレスおよびＳＩＰ−ＵＲＩは、音声通話中にホームゲートウェイ１４’がホームゲートウェイ１４に対し、ＳＩＰのＭＥＳＳＡＧＥリクエストなどを使ってあらかじめホームゲートウェイ１４に送信しておく。なお、メッセージ部の形式は、ＸＭＬ形式でもよいし、その他の独自の形式でもよい。
【００７３】
また、本実施形態では、ホームゲートウェイ１４が双方向映像通信ＴＶ１２へ送信するＳＩＰコマンドとしてＭＥＳＳＡＧＥリクエストを用いたが、ＳＩＰがサポートしているメソッドであれば他のリクエストでもよい。
【００７４】
発呼側の双方向映像通信ＴＶ１２のコマンド送受信部１２１は、ホームゲートウェイ１４から上記の接続先情報を含むＭＥＳＳＡＧＥリクエストを受信すると（図１１：ステップ１１０４）、第１の実施形態のステップ５０２−５０７と同様の手順で双方向映像通信ＴＶ１２，１２’間のセッションを確立する（ステップ１１０５−１１１０）。
【００７５】
一方、着呼側の双方向映像通信ＴＶ１２’は、発呼側の双方向映像通信ＴＶ１２と同様の手順（ステップ１１０１−１１０３）で、接続先情報取得リクエストを送信し、ステップ１１０４でホームゲートウェイ１４’から次のような接続先情報を受信する。
【００７６】
図１５は、ホームゲートウェイ１４’から着呼側の双方向映像通信ＴＶ１２’に送信される接続先情報（ＭＥＳＳＡＧＥリクエストのメッセージ部）の構成を示している。同図に示すように、着呼側の双方向映像通信ＴＶ１２’に送信される接続先情報は、コマンド名とパート名とで構成され、コマンド名には開始を表す文字列である”ｓｔａｒｔ”が指定され、パート名には、ホームゲートウェイ１４’の発呼フラグがオフであることから着呼側を表す文字列”ｃａｌｌｅｅ”が指定される。ＩＰアドレス、ＳＩＰ−ＵＲＩは指定されない。
【００７７】
着呼側の双方向映像通信ＴＶ１２’のコマンド送受信部１２１’はホームゲートウェイ１４’から上記の接続先情報を含むＭＥＳＳＡＧＥリクエストを受信すると（図１１：ステップ１１０４）、第１の実施形態のステップ５０２−５０７と同様の手順で双方向映像通信ＴＶ１２，１２’間のセッションを確立する（ステップ１１０５−１１１０）。
【００７８】
双方向映像通信ＴＶ１２，１２’間でセッションが確立されると、各々の双方向映像通信ＴＶ１２，１２’内のコマンド解析部１２２、映像送受信部１２３、映像入力部１２４、および映像出力部１２５が、第１の実施形態のステップ５１０−５１６と同様の処理を行うことで、各ユーザＡ，Ｂ間で映像によるコミュニケーションが可能になる。
【００７９】
次に、映像コミュニケーションを終了し、音声のみの通話へ移行する手順について記述する。
音声通話により、両ユーザＡ，Ｂ間で映像コミュニケーション終了の同意が取れたとすると、ユーザＡ、ユーザＢのいずれか一方がリモコン１８または１８’の特定のボタンをプッシュする。
【００８０】
以下、ユーザＡがリモコン１８のボタンをプッシュした場合の処理について記述する。
発呼側の双方向映像通信ＴＶ１２のリモコン信号受信部１２７は、リモコン１８からの信号を受信し（図１１：ステップ１１０１）、信号データをコマンド解析部１２２へ転送する。コマンド解析部１２２はリモコン信号受信部１２７から転送された信号データを読み取り、これが映像コミュニケーション終了を意味するものであれば（ステップ１１０２の終了）、ＳＩＰのＢＹＥリクエストを作成し、映像コミュニケーション開始時にコマンド解析部１２２が取得したＩＰアドレスと共にコマンド送受信部１２１へ転送する。
【００８１】
コマンド送受信部１２１は、コマンド解析部１２２から転送されたＢＹＥリクエストをコマンド解析部１２２が指定したＩＰアドレスに対して送信し、着呼側の双方向映像通信ＴＶ１２’とのセッションの切断を行う（ステップ１１１７）。ここで、セッションの切断手順はＳＩＰに従う。
【００８２】
セッションの切断を完了すると、各々の双方向映像通信ＴＶ１２，１２’のコマンド解析部１２２、映像送受信部１２３、映像入力部１２４、および映像出力部１２５は、第１の実施形態と同様の手順で映像送受信処理を停止する（ステップ１１１８）。
【００８３】
この実施形態によれば、ホームゲートウェイ１４，１４’と双方向映像通信ＴＶ１２，１２’との間のＳＩＰメッセージ送受信により、双方向映像通信ＴＶ１２，１２’のリモコン１８，１８’の特定ボタンをプッシュするだけで、異なるホームネットワーク１０，１０’の電話機１１，１１’間での音声通話から双方向による映像コミュニケーションへの移行、および双方向による映像コミュニケーションから音声通話への移行が可能になった。
【００８４】
なお、本発明にかかるホームゲートウェイ、双方向映像通信機器、および双方向映像通信システムは、上記実施の形態に示す構成のものに限定されるものではなく、請求項に記載した技術的範囲を逸脱しない範囲において種々に変更し変形することは勿論である。
【図面の簡単な説明】
【００８５】
【図１】本発明の第１の実施形態にかかる双方向映像通信システムの全体構成を示すブロック図である。
【図２】図１の双方向映像通信ＴＶの機能の構成を示すブロック図である。
【図３】図１のホームゲートウェイにおける映像コミュニケーション開始の手順を示すフローチャートである。
【図４】発呼側のホームゲートウェイから双方向映像通信ＴＶに送信される、音声通話から映像コミュニケーションへの移行を指示するＭＥＳＳＡＧＥリクエストのメッセージ部を示す図である。
【図５】図１の双方向映像通信ＴＶの映像コミュニケーション開始／終了の手順を示すフローチャートである。
【図６】着呼側のホームゲートウェイから双方向映像通信ＴＶに送信される、音声通話から映像コミュニケーションへの移行を指示するＭＥＳＳＡＧＥリクエストのメッセージ部を示す図である。
【図７】着呼側の双方向映像通信ＴＶのセッション確立判定の手順を示すフローチャートである。
【図８】発呼側のホームゲートウェイから双方向映像通信ＴＶに送信される、映像コミュニケーションの終了を指示するＭＥＳＳＡＧＥリクエストのメッセージ部を示す図である。
【図９】本発明の第２の実施形態にかかる双方向映像通信システムの全体構成を示すブロック図である。
【図１０】図９の双方向映像通信ＴＶの機能の構成を示すブロック図である。
【図１１】図９の双方向映像通信ＴＶにおける映像コミュニケーション開始の手順を示すフローチャートである。
【図１２】図９のホームゲートウェイにおける映像コミュニケーション開始の手順を示すフローチャートである。
【図１３】発呼側の双方向映像通信ＴＶからホームゲートウェイへ送信される接続先情報取得リクエストを示す図である。
【図１４】ホームゲートウェイから発呼側の双方向映像通信ＴＶに送信される接続先情報を示す図である。
【図１５】ホームゲートウェイから着呼側の双方向映像通信ＴＶに送信される接続先情報を示す図である。
【符号の説明】
【００８６】
１０，１０’…ホームネットワーク、１１，１１’…電話機、１２，１２’…双方向映像通信ＴＶ、１３，１３’…ビデオカメラ、１４，１４’…ホームゲートウェイ、１８，１８’…リモコン、２０…インターネット、３０…管理サーバ、１００…双方向映像通信システム、１２１…コマンド送受信部、１２２…コマンド解析部、１２３…映像送受信部、１２４…映像入力部、１２５…映像出力部、１２６…電源管理部、１２７…リモコン信号受信部、２００…双方向映像通信システム
【図１】
2006140973.tif 000003
【図２】
2006140973.tif 000004
【図３】
2006140973.tif 000005
【図４】
2006140973.tif 000006
【図５】
2006140973.tif 000007
【図６】
2006140973.tif 000008
【図７】
2006140973.tif 000009
【図８】
2006140973.tif 000010
【図９】
2006140973.tif 000011
【図１０】
2006140973.tif 000012
【図１１】
2006140973.tif 000013
【図１２】
2006140973.tif 000014
【図１３】
2006140973.tif 000015
【図１４】
2006140973.tif 000016
【図１５】
2006140973.tif 000017